(57)【要約】【課題】テンション型マスク構体の組み立て工程でのバラツキを吸収することによって、蛍光面生成工程での不具合を減少させ、カラー陰極線管の画面を高品位に保つことが可能なカラー陰極線管用マスク構体を提供する。【解決手段】テンション型マスク構体の色選別マスク２が、金属薄板にストライプ状に所定のピッチで多数の細条スリット１２ａ、１２ｂが配列されるように形成され、最外列の細条スリット１２ｂに、その開口を介して対向する縁部から内方に突き出た突起部を設け、この第二有孔領域１６ｂの細条スリット１２ｂの開口面積が、第一有孔領域１６ａの細条スリット１２ａの開口面積の７０％以下となるように構成する。【選択図】        図２
2004335110.tif 000002
【特許請求の範囲】
【請求項１】
金属薄板に、ストライプ状に所定のピッチで多数の細条スリットが配列されるように形成し、該多数の細条スリットのうち、最外列の前記細条スリットを除いた細条スリットを含む第一有孔領域と、前記最外列の前記細条スリットを含む第二有孔領域とを有する色選別マスクと、
前記色選別マスクを、前記細条スリットの配列方向と直交する方向において張力が生じる状態で保持するマスクフレームと
を有し、
少なくとも、前記第二有孔領域の各細条スリットにおいて、該細条スリットの開口を介して対向する縁部から内方に突き出た突起部を設け、前記第二有孔領域の細条スリット１本当たりの開口面積が、前記第一有孔領域の細条スリット１本当たりの開口面積よりも小さくなるようにしたことを特徴とするカラー陰極線管用マスク構体。
【請求項２】
前記第二有孔領域の細条スリット１本当たりの開口面積が、前記第一有孔領域の細条スリット１本当たりの開口面積の７０％以下となるようにしたことを特徴とする請求項１記載のカラー陰極線管用マスク構体。
【請求項３】
前記第一有孔領域の各細条スリットにおいても、該細条スリットの開口を介して対向する縁部から内方に突き出た突起部を設けたことを特徴とする請求項１記載のカラー陰極線管用マスク構体。
【請求項４】
前記突起部が、前記対向する縁部の対向する位置において対をなし、且つ該縁部が延在する方向において所定の間隔で複数形成されたことを特徴とする請求項１又は３に記載のカラー陰極線管用マスク構体。
【請求項５】
前記突起部が、前記対向する縁部の一方の側において該縁部が延在する方向に所定の間隔で複数形成されたことを特徴とする請求項１又は３に記載のカラー陰極線管用マスク構体。
【請求項６】
前記第一有孔領域の各細条スリットに形成される前記突起部が、前記対向する縁部の両側から、該縁部が延在する方向において、交互に形成されることを特徴とする請求項３記載のカラー陰極線管用マスク構体。
【請求項７】
請求項１乃至請求項６の何れかに記載のカラー陰極線管用マスク構体を備えるカラー陰極線管。
【発明の詳細な説明】
【０００１】
【発明の属する技術分野】
本発明は、カラー陰極線管内部に設置されるカラー陰極線管用マスク構体に関し、特にその色選別マスクに形成された細条スリットの形状に関する。
【０００２】
【従来の技術】
従来、この種の色選別マスクとして、例えば、色選別マスクに相当するアパーチャグリルにおいて、複数列のストライプ状スリットのうちの最端スリットの隣に、ストライプ状スリットのスリットピッチ分、或いは２倍のスリットピッチ分だけ最端スリットから離間させて、ストライプ状スリットのスリット幅よりも小さなスリット幅のエキストラスリットを設けるものとし、エキストラスリットの先端が、ストライプ状スリットの先端と等しく、或いはストライプ状スリットの先端よりも２倍のスリットピッチ分だけ短いものとすると共に、先端を徐々に細くしたグレード仕様とするものがあった（例えば、特許文献１参照）。
【０００３】
また、別の例として、アパーチャグリルにおいて、複数列のストライプ状スリットのうちの最端スリットの外側金属薄板部に前記スリットのピッチと略同一のピッチを有し、且つ前記ストライプ状スリットの幅よりも小さなスリット幅を有すると共に、遮光し得るエキストラスリットを複数設けたものがあった。（例えば、特許文献２参照）。
【０００４】
【特許文献１】
特許第３１５８２９７号公報（第２頁、図１）
【特許文献２】
特許第３１９４２９０号公報（第２頁、図１）
【０００５】
【発明が解決しようとする課題】
一般に、カラー陰極線管内部に設置される色選別マスク構体は、金属薄板で構成されて選択的エッチングにより多数の電子ビームの通過孔が形成された色選別マスクと、これを支持するマスクフレームとで構成されている。色選別マスクの１つとして、多数の細状素体（「グリル素体」とも呼ばれる）が所定間隔で配列された構造を有し、互いに隣り合う細状素体の間のスリットが電子ビーム通過孔となっているものがあり、この種の色選別マスクを、一般的に「アパーチャグリル」と呼んでいる。
【０００６】
しかし、このアパーチャグリルに代表されるような、マスクフレームに張架して用いられるテンション型の色選別マスクは、その組み立て工程において、各細状素体へ加えられる張力分布が不均一になると最外列のスリット幅にバラツキが生じ、このスリット幅のバラツキが原因となって、蛍光面生成工程における有効画面不良をもたらすことがあった。
【０００７】
即ち、テンション型の色選別マスクの組み立て工程においては、マスクフレームの数カ所以上の部位を力Ｆで加圧してマスクフレームを変位させておき、その状態で色選別マスクを溶接等によって接合し、その後、力Ｆを解放することにより、マスクフレームの弾性によって色選別マスクに張力を与えることが行なわれる。しかし、上記組み立て時のマスクフレームへの加圧力のバラツキや、マスクフレーム自体の弾性力にバラツキが存在する時、色選別マスクの張力分布にバラツキが発生する。この張力分布のバラツキは、特に色選別マスクの最外列のスリット幅に影響をもたらし、このスリット幅のバラツキが大きい場合には、後述するように蛍光面生成工程において有効画面不良を発生させる問題があった。
【０００８】
この問題を解決するため、前記した特許文献１及び特許文献２では、ストライプ状スリットの最端スリットの隣に、それぞれ前記したエキストラスリットを設けている。尚、この特許文献１及び特許文献２のエキストラスリットは、蛍光面生成工程では露光光を遮光する役割を果たすため、通常は有効画面として表れないものである。
【０００９】
しかしながら、テンション型色選別マスク（アパーチャグリル）組み立て時の張力分布のバラツキによって、エキストラスリットのスリット幅が所望以上に小さくなりすぎた場合には、エキストラスリットの左右の細状素体が互いに接触してしまうことがあった。この接触によって隣り合う細状素体同士が一旦絡み合うと、絡みが取れにくいために生産性が悪くなってしまう問題があった。このときの絡みが取れにくいのは、隣り合う細状素体同士が線接触するため、大きな摩擦力が生じてしまうことに起因する。
【００１０】
以上のような絡みが発生している箇所では、エキストラスリットの左右の細状素体が湾曲するため、隣り合うストライプ状スリットのスリット幅が小さくなる状態が生じてしまう。従ってこの状態で、露光光による蛍光面生成を行った場合、露光光量不足となって、このスリットに対応する蛍光面には正規の蛍光面が形成されなくなって有効画面不良を生じる問題があった。
【００１１】
本発明の目的は、以上の問題点を解消し、テンション型色選別マスクの組み立て工程でのバラツキを吸収することによって、製造を容易にすると共に、カラー陰極線管の画面を高品位に保つことが可能なカラー陰極線管用マスク構体及びカラー陰極線管を提供することにある。
【００１２】
【課題を解決するための手段】
本発明によるカラー陰極線管用マスク構体は、
金属薄板に、ストライプ状に所定のピッチで多数の細条スリットが配列されるように形成し、該多数の細条スリットのうち、最外列の前記細条スリットを除いた細条スリットを含む第一有孔領域と、前記最外列の前記細条スリットを含む第二有孔領域とを有する色選別マスクと、前記色選別マスクを、前記細条スリットの配列方向と直交する方向において張力が生じる状態で保持するマスクフレームとを有し、
少なくとも、前記第二有孔領域の各細条スリットにおいて、該細条スリットの開口を介して対向する縁部から内方に突き出た突起部を設け、前記第二有孔領域の細条スリット１本当たりの開口面積が、前記第一有孔領域の細条スリット１本当たりの開口面積よりも小さくなるようにしたことを特徴とする。
【００１３】
【発明の実施の形態】
実施の形態１．
図１は、本発明のカラー陰極線管用マスク構体による実施の形態１のテンション型マスク構体１の要部構成を示す要部斜視図であり、図１１は、このテンション型マスク構体を備えたカラー陰極線管の要部構成図である。
【００１４】
図１１中、カラー陰極線管５１の外囲を構成するガラスバルブは、内面に蛍光体スクリーン面５３が形成されたフェイスパネル部５２と、フェイスパネル５２の後方に接続されたファンネル部５４と、ファンネル部５４に連続して形成されたネック部５５とからなる。
【００１５】
ネック部５５の内部には、管軸１０１上に位置する電子銃５７が配設されている。フェイスパネル部５２の内部には、蛍光体スクリーン面５３に対向する位置において、後述する色選別電極（以後、色選別マスクと称す）２が近接配置されるように、テンション型マスク構体１が、図示しない取り付け金具を介して固定配置されている。
【００１６】
ファンネル部５４からネック部５５にかけての外周部に配設された偏向ヨーク５６は、電子銃５７から発せられる３本の電子ビーム５８を偏向走査する目的で設置され、そして色選別マスク２は、３本の電子ビーム５８がそれぞれ赤色、緑色、青色の所望の蛍光体スクリーン面５３にランディングするように、選別する目的で設置されるものである。
【００１７】
この色選別マスク２を含むテンション型マスク構体１の構成について、図１の要部斜視図を参照しながら説明する。尚、同図中のＸ軸、Ｙ軸及びＺ軸は、テンション型マスク構体１がフェイスパネル部５２（図１１）内部の所定位置に設置された際の画面水平方向、画面垂直方向及び管軸方向をそれぞれ示している。
【００１８】
同図に示すように、テンション型マスク構体１は、主に色選別マスク２とマスクフレーム３から構成されている。マスクフレーム３は鋼材で形成され、金属薄板で形成された色選別マスク２の一対の長辺とそれぞれ溶接により接合してこれを保持する一対のＨメンバー３ａと、色選別マスク２が、Ｙ軸方向において張力を生じる緊張した状態で保持されるように、この一対のＨメンバー３ａ間を連結する一対のＶメンバー３ｂとで構成されている。
【００１９】
金属薄板で形成された色選別マスク２には、後述するその有孔領域１６（図２）において、短辺と平行なＹ軸方向（画面垂直方向に相当）に延在する細条素体１１と細条スリット１２ａ，１２ｂ（図２参照）とが、長辺と平行なＸ軸方向（画面水平方向に相当）に交互に配列されたスリット構造が形成されている。尚、図１では、２種類の細条スリット１２ａ，１２ｂを、区別なく単に細条スリット１２として示している。
【００２０】
このテンション型マスク構体１には、図１に示す様に、マスクフレーム３の一対のＶメンバー３ｂの所定位置において、対向する１対のダンパースプリング４が溶接により取付けられ、この一対のダンパースプリング間には、ダンパー線５が張架される。以上のように形成されたアパーチャグリルタイプの有孔領域１６（図２）では、横揺れ、即ち画面左右方向への振動が発生しやすい性質が有るが、このダンパー線５は、各細条素体１１と当接して生じる接触摩擦により、個々の細条素体１１の振動を抑制し、減衰させる。
【００２１】
図２は、この本実施の形態のテンション型マスク構体１に採用された色選別マスク２の要部構成を示す平面図であり、図３はその部分拡大図である。これらの図２、図３、及び図１を参照しながら色選別マスク２の構成について以下に説明する。
【００２２】
図１、図２に示すように、色選別マスク２は、マスクフレーム３との接合領域である接合領域１５（図２）と、図１１に示す電子銃５７からの電子ビーム５８の通過孔である細条スリット（形状の異なる１２ａ，１２ｂがある）が多数儲けられた有孔領域１６とを有する。接合領域１５は、色選別マスク２のＹ軸方向の両端に位置し、有孔領域１６は、色選別マスク２のＸ軸方向においては一端から他端までの略全域に渡り、Ｙ軸方向においては接合領域１５によって挟まれている。
【００２３】
図２及び図３に示すように、有孔領域１６は、Ｘ軸方向における最外列を除く第一有孔領域１６ａ、及び最外列の２つの第二有孔領域１６ｂとからなり、各領域では、それぞれ形状の異なる細条スリット１２ａ及び１２ｂが、Ｘ軸方向において略連続的に同ピッチに形成されている。またこれら細条スリット１２ａ及び１２ｂは、Ｙ軸方向における長さも等しく、且つ端部を揃えて形成され、更に各スリット幅ｗ１，ｗ２も略等しくなるように形成されている。
【００２４】
そして、図３に示すように、第二有孔領域１６ｂの細条スリット１２ｂを形成する細条素体１１及び最端部素体１４には、細条スリット１２ｂの開口を介して対向する位置に、対をなす半円状の突起部１１ａ及び１４ａが形成されている。これら一対の突起部１１ａ及び１４ａは、各先端部間に所定の隙間ｗｔを有し、Ｙ軸方向において所定のピッチで多数形成されている。
【００２５】
尚、有孔領域１６のうち、第一有孔領域１６ａは、カラー陰極選管５１（図１１）において実際に画像が表示される有効画面領域に対応し、第二有孔領域１６ｂは、前記した露光光によって蛍光面を生成する蛍光面生成工程において、突起部１１ａ及び１４ａにより露光光を遮蔽することによって、蛍光体スクリーン面５３（図１１）の対向する位置に正規の蛍光面が形成されないようにして、有効画面領域外に対応するように設定される。
【００２６】
突起部１１ａ、１４ａの大きさ及び数量は、カラー陰極線管のサイズ、偏向角などにより異なるが、第二有孔領域１６ｂの細条スリット１２ｂの開口面積が、第一有孔領域１６ａの個々の細条スリット１２ａの開口面積の７０％以下となるように設定する。また突起部１１ａ、１４ａのＸ軸方向の高さは、本実施の形態ではスリット幅ｗ２の１／８〜６／８程度としたが、これに限定されるものではない。
【００２７】
図４（ａ）、（ｂ）は、色選別マスク２の第二有孔領域近傍を部分拡大した動作説明図である。
【００２８】
同図（ａ）は、テンション型マスク構体１（図１）の組み立てが正常に行われた時の色選別マスク２の状態を表し、第二有孔領域１６ｂのスリット幅ｗ２と第一有孔領域１６ａのスリット幅ｗ１は略同一に形成されている。またこのとき、細条スリット１２ｂの開口面積は、前記説明のとおり、細条スリット１２ａの７０％以下となるように、突起部１１ａ，１４ａの大きさと数量が設定されている。
【００２９】
尚、前記した露光光によって蛍光面を生成する蛍光面生成工程において、色選別マスク２の通過後の露光光は、フルネル回折する。このフルネル回折は、スリット小の方向で回折がきつくなり、且つ色選別マスク２の透過光強度も小さくなる。よって、図１２に示すような露光プロファイルとなり、スリットを適当に小さくする設定することで、そのプロファイルトップが閾値以下となってこの部分では露光できずに、蛍光面が形成されない。ここでは、生産実績から、第二有孔領域１６ｂの細条スリット１２ｂの開口面積が、第一有孔領域１６ａの個々の細条スリット１２ａの開口面積の７０％以下とすることによって、そのプロファイルトップを閾値以下に出来るものとする。
【００３０】
従って、この状態の色選別マスク２を用いて前記した蛍光面生成工程において蛍光体スクリーン面５３（図１１）を形成すると、所望どおり第一有孔領域１６ａに対向する領域のみに蛍光面が形成されるため、第二有孔領域１６ｂを有効画面領域外とすることができる。
【００３１】
一方、同図（ｂ）は、テンション型マスク構体１（図１）の組み立て工程において張力分布にバラツキが生じ、第二有孔領域１６ｂに不具合が生じた場合を表している。
【００３２】
同図（ｂ）に示すように、第二有孔領域１６ｂのスリット幅ｗ２が、第一有孔領域１６ａのスリット幅ｗ１より小さくなった場合、向き合う細状素体１１と最端部素体１４が接触することになるが、この時の接触は、突起部１１ａ，１４ａ同士による点接触となるためにこれ等が絡んだ際の摩擦力は小さく、容易に絡みを取ることができる。
【００３３】
以上のように、本実施の形態によるテンション型マスク構体１によれば、図２、図３に示すように、第二有孔領域１６ｂの細条スリット１２ｂに、突起部１１ａ，１４ａを設けているため、テンション型マスク構体１の組立工程において、色選別マスク２とマスクフレーム３（図１）の相互位置関係が正規の状態になっていない場合、或いはマスクフレーム３によって色選別マスク２に付与する張力が不均一なために、第二有孔領域１６ｂのスリット１２ｂが所定幅以上にばらついても、細状素体１１と最端部素体１４とが絡みにくく、また絡んだ場合でも容易に絡みが取れるため、蛍光面形成工程において安定した蛍光体スクリーン面５３（図１１）を形成することが可能となる。
【００３４】
実施の形態２．
図５は、本発明のカラー陰極線管用マスク構体に採用される実施の形態２の色選別マスク２２の要部構成を示す平面図であり、図６はその部分拡大図である。
【００３５】
この色選別マスク２２は、前記した図１に示す実施の形態１のテンション型マスク構体１において、その色選別マスク２に代えて採用されるものである。従って、マスクフレーム３に、前記した実施の形態１と同様の方法で色選別マスク２２を固定したものとして、図１のテンション型マスク構体１を参照しながら、色選別マスク２２について以下に説明する。但し、この色選別マスク２２が前記した色選別マスク２と共通する部分には同符号を付して説明を省略し、異なる点を重点的に説明する。
【００３６】
図５及び図６に示すように、有孔領域１６は、Ｘ軸方向における最外列を除く第一有孔領域１６ａ、及び最外列の２つの第二有孔領域１６ｂとからなり、各領域では、それぞれ形状の異なる細条スリット２６ａ及び２６ｂが、Ｘ軸方向において略連続的に同ピッチに形成されている。またこれら細条スリット２６ａ及び２６ｂは、Ｙ軸方向における長さも等しく、且つ端部を揃えて形成され、更に各スリット幅ｗ１，ｗ２も略等しくなるように形成されている。
【００３７】
そして、図６に示すように、第二有孔領域１６ｂの細条スリット２６ｂを形成する細条素体２５及び最端部素体１４には、細条スリット２６ｂの開口を介して対向する位置に、対をなす突起部２５ａ及び１４ａが形成されている。これら一対の突起部２５ａ及び１４ａは、各先端部間に所定の隙間ｗｔを有し、Ｙ軸方向において所定のピッチで多数形成されている。
【００３８】
更に、第一有孔領域１６ａにおいても、細条スリット２６ａを形成する細条素体２５には、細条スリット２６ａの開口を介して対向する位置に、対をなす突起部２５ｂが形成されている。これらの一対の突起部２５ｂは、各先端部間に所定の隙間を有し、Ｙ軸方向において所定のピッチで多数形成されている。一般に色選別マスク２２のＹ軸方向に突起部２５ｂが所定ピッチで配置されている場合、陰極線管の走査線ピッチとの間でモアレと呼ばれる現象が生じる。従って、この第一有孔領域１６ａにおける一対の突起部２５ｂの所定のピッチは、この色選別マスク２２を使用する陰極線管の仕様で決定される。
【００３９】
尚、有孔領域１６のうち、第一有孔領域１６ａは、カラー陰極選管５１（図１１）において実際に画像が表示される有効画面領域に対応し、第二有孔領域１６ｂは、前記した露光光によって蛍光面を生成する蛍光面生成工程において、突起部２５ａ及び１４ａにより露光光を遮蔽することによって、蛍光体スクリーン面５３（図１１）の対向する位置に正規の蛍光面が形成されないようにすることにより、有効画面領域外に対応するように設定される。
【００４０】
このため、突起部２５ａ、１４ａの大きさ及び数量は、カラー陰極線管のサイズ、偏向角などにより異なるが、第二有孔領域１６ｂの細条スリット２６ｂの開口面積が、第一有孔領域１６ａのスリット２６ａの開口面積の７０％以下となるように設定する。
【００４１】
図７は、図６における第二有孔領域１６ｂの近傍を拡大した部分拡大図である。第二有孔領域１６ｂの細条スリット２６ｂの対の突起部２５ａ，１４ａを、第一有孔領域１６ａの細条スリット２６ａの対の突起部２５ｂより、Ｙ軸方向において小さいピッチで配置し、細条スリット２６ｂの開口面積を細条スリット２６ａの開口面積の７０％以下としている。従って、前記したように、この色選別マスク２を用いて前記した蛍光面生成工程において蛍光体スクリーン面５３（図１１）を形成すると、細条スリット２６ｂがばらついても実施の形態１と同様に、所望どおり第一有孔領域１６ａに対向する領域のみに蛍光面が形成されるため、第二有孔領域１６ｂを有効画面領域外とすることができる。
【００４２】
図８は、本実施の形態２の色選別マスク２２において、第二有孔領域１６ｂの突起部の他の形状例を示すものである。前記した図７において、細条スリット２６ｂの対の突起部２５ａ，１４ａのピッチが小さくてエッチングが困難な場合、図８に示すように、Ｙ軸方向の幅を広くした突起部２５ｃ，１４ｂを形成してピッチを大きくしてもよい。但し、この場合、突起部が接触する際に、接触領域が広くなるため、摩擦抵抗を下げる効果は多少落ちる。
【００４３】
また、本実施の形態の図５、図６に示す色選別マスク２２では、対の突起部２５ｂ、及び突起部２５ａ，１４ａを、各細条スリット２６ａ，２６ｂの開口を介して対向するそれぞれの縁部から内方に突出するように形成したが、これに限定されるものではなく、図９に示すように、スリット開口部の片側の縁部のみに突起部２５ｂ、２５ａを設けても良く、更には図１０に示すように、第一有孔領域１６ａの細条スリット２６ａでは、その開口を介して交互にずれた位置に突起部２５ｂを形成してもよいなど、種々の態様を取り得るものである。
【００４４】
以上のように、本実施の形態の色選別マスク２２を採用するテンション型マスク構体によれば、前記した実施の形態１のテンション型マスク構体１の効果に加え、第一有孔領域１６ａの互いに隣り合う細状素体２５においても、カラー陰極線管５１（図１１）の製造時の各工程での振動或いはテレビ映像のクロスハッチ信号パターン等によって、これ等が絡み合う現象（以後「グリル絡み」）が生じるのを抑制することができる。
【００４５】
尚、前記した各実施の形態では、突起部の形状を半円状に形成したが、これに限定されるものではなく、角状、三角状、或いは他の形状であっても、同様の効果を得ることができるなど、種々の態様を取り得るものである。
【００４６】
【発明の効果】
本発明によるカラー陰極線管用マスク構体によれば、有孔領域の細条スリットの開口を介して対向する縁部に突起部を設け、且つ突起部の面積の割合を領域によって調整しているため、マスク組立工程で生じるスリット幅のバラツキによる、細条素体の絡みを防ぐことができ、蛍光面形成工程においても蛍光体スクリーン面の生成を安定して行なうことができる。
【図面の簡単な説明】
【図１】発明のカラー陰極線管用マスク構体による実施の形態１のテンション型マスク構体１の要部構成を示す要部斜視図である。
【図２】実施の形態１のテンション型マスク構体１に採用された色選別マスク２の要部構成を示す平面図である。
【図３】図２に示す色選別マスク２の部分拡大図である。
【図４】（ａ）は、テンション型マスク構体１の組み立てが正常に行われた時の色選別マスク２の状態を表し、（ｂ）は、その組み立て工程において張力分布にバラツキが生じ、第二有孔領域１６ｂに不具合が生じた場合を表す説明図である。
【図５】本発明のカラー陰極線管用マスク構体に採用される実施の形態２の色選別マスク２２の要部構成を示す平面図である。
【図６】図５に示す色選別マスク２２の部分拡大図である。
【図７】図６における第二有孔領域１６ｂの近傍を拡大した部分拡大図である。
【図８】実施の形態２の色選別マスク２２において、第二有孔領域１６ｂの突起部の他の形状例を示す図である。
【図９】実施の形態２の色選別マスク２２において、突起部の他の形成例を示す図である。
【図１０】実施の形態２の色選別マスク２２において、第一有孔領域１６ａの突起部の他の形成例を示す図である。
【図１１】テンション型マスク構体１を備えたカラー陰極線管の要部構成図である。
【図１２】蛍光面生成工程において、色選別マスク２の通過後の露光光の光強度を説明するための説明図である。
【符号の説明】
１  テンション型マスク構体、  ２  色選別電極（色選別マスク）、  ３  マスクフレーム、  ３ａ  Ｈメンバー、  ３ｂ  Ｖメンバー、  ４  ダンパースプリング、  ５  ダンパー線、  １１  細条素体、  １１ａ  突起部、  １２  細条スリット、  １２ａ，１２ｂ  細条スリット、  １４  最端部素体、  １４ａ，１４ｂ  突起部、  １５  接合領域、  １６  有孔領域、  １６ａ  第一有孔領域、  １６ｂ  第二有孔領域、  ２２  色選別電極（色選別マスク）、  ２５細条素体、  ２５ａ，２５ｂ，２５ｃ  突起部、  ２６ａ，２６ｂ  細条スリット、  ５１  カラー陰極線管、  ５２  フェイスパネル部、  ５３  蛍光体スクリーン面、  ５４  ファンネル部、  ５５  ネック部、  ５６  偏光ヨーク、５７  電子銃、  ５８  電子ビーム。
【図１】
2004335110.tif 000003
【図２】
2004335110.tif 000004
【図３】
2004335110.tif 000005
【図４】
2004335110.tif 000006
【図５】
2004335110.tif 000007
【図６】
2004335110.tif 000008
【図７】
2004335110.tif 000009
【図８】
2004335110.tif 000010
【図９】
2004335110.tif 000011
【図１０】
2004335110.tif 000012
【図１１】
2004335110.tif 000013
【図１２】
2004335110.tif 000014